(57)【要約】【課題】  蓋体を開放して集塵ケース内の塵埃を排出すると同時に、フイルタに付着した塵埃の除塵を行うことができ、また、フイルタを取外すことなくフイルタへの塵埃の詰まり状態を視認することのできる使い勝手のよい集塵ケースを備えた電気掃除機を提供すること。【解決手段】  掃除機本体１内に設置されて吸引風を発生する電動送風機１３と、電動送風機１３の吸気上流側において掃除機本体１内に着脱可能に収容される集塵ケース３０とを有し、この集塵ケース３０を、吸気上流側に掃除機本体１の吸込口５に連通する吸込穴３２を有し、吸気下流側に開口部３３が設けられたほぼ箱状の本体部３１と、複数のフイルタからなり、一端が一体的に連結されて集塵ケース３０の開口部３３の上部又は下部に回動可能に支持され、本体部３１の開口部３３を開閉する蓋組立体５０とによって構成した。【選択図】        図１
2007029217.tif 000002
【特許請求の範囲】
【請求項１】
掃除機本体内に設置されて吸引風を発生する電動送風機と、該電動送風機の吸気上流側において前記掃除機本体内に着脱可能に収容される集塵ケースとを有し、
該集塵ケースを、吸気上流側に前記掃除機本体の吸込口に連通する吸込穴を有し、吸気下流側に開口部が設けられたほぼ箱状の本体部と、
複数のフイルタからなり、一端が一体的に連結されて前記集塵ケースの開口部の上部又は下部に回動可能に支持され、前記本体部の開口部を開閉する蓋組立体とによって構成したことを特徴とする電気掃除機。
【請求項２】
前記蓋組立体を構成する複数のフイルタのうち、吸気下流側のフイルタの回動範囲を、吸気上流側のフイルタの回動範囲より大きく形成したことを特徴とする請求項１記載の電気掃除機。
【請求項３】
前記吸気下流側のフイルタを、上部が開放されたプリーツ形フイルタで構成したことを特徴とする請求項２記載の電気掃除機。
【請求項４】
前記蓋組立体を構成する複数のフイルタのうち、吸気上流側のフイルタの表面に滑り性の良い素材を施したことを特徴とする請求項１〜３のいずれかに記載の電気掃除機。
【請求項５】
前記吸気上流側のフイルタの吸気上流側にネット状フイルタを回動可能に設けたことを特徴とする請求項４記載の電気掃除機。
【請求項６】
前記蓋組立体を構成する複数のフイルタを回動可能に支持するためのヒンジ腕の一部又は全部の下面に緩衝材を設けたことを特徴とする請求項１〜５のいずれかに記載の電気掃除機。
【発明の詳細な説明】
【技術分野】
【０００１】
本発明は、電気掃除機に係り、より詳しくは、集塵ケースを備えた電気掃除機に関するものである。
【背景技術】
【０００２】
電気掃除機に、掃除機本体の内部に着脱可能に収容され、吸引した塵埃を集積する集塵ケースを備えたものがある。この集塵ケースは、前面側（吸引した空気流の上流側）に掃除機本体の吸込口と連通する通気路を有し、後面側（下流側）が開口されたほぼ箱状に形成されており、この開口部に、枠体の内面側（上流側）に漏斗状のフイルタが設けられ、外面側（下流側）に平板状のフイルタが圧入されて、上端部が集塵ケースに軸支された蓋体が開閉可能に装着されている。
【０００３】
そして、集塵ケース内に塵埃が溜ったときは、掃除機本体から集塵ケースを引出し、蓋体を開放して内部の塵埃を排出するようにしたものである（例えば、特許文献１参照）。
【０００４】
【特許文献１】特開２００３−３３９５８３号公報（第２頁、図６−９）
【発明の開示】
【発明が解決しようとする課題】
【０００５】
特許文献１の電気掃除機においては、蓋体の外面側に圧入された板状のフイルタに塵埃が詰まった場合は、蓋体からフイルタを取外したのちでないと除塵することができず、また、フイルタの詰まり状態を見る場合は、フイルタを蓋体から取外さないと視認できないので、きわめて面倒であるばかりでなく、フイルタの取外しのために手が汚れることもあって好ましくなかった。
【０００６】
本発明は、上記の課題を解決するためになされたもので、蓋体を開放して集塵ケース内の塵埃を排出すると同時に、フイルタに付着した塵埃の除塵を行うことができ、また、フイルタを取外すことなくフイルタへの塵埃の詰まり状態を視認することのできる使い勝手のよい集塵ケースを備えた電気掃除機を提供することを目的とするものである。
【課題を解決するための手段】
【０００７】
本発明に係る電気掃除機は、掃除機本体内に設置されて吸引風を発生する電動送風機と、該電動送風機の吸気上流側において前記掃除機本体内に着脱可能に収容される集塵ケースとを有し、該集塵ケースを、吸気上流側に前記掃除機本体の吸込口に連通する吸込穴を有し、吸気下流側に開口部が設けられたほぼ箱状の本体部と、複数のフイルタからなり、一端が一体的に連結されて前記集塵ケースの開口部の上部又は下部に回動可能に支持され、前記本体部の開口部を開閉する蓋組立体とによって構成したものである。
【発明の効果】
【０００８】
本発明によれば、集塵ケース内に溜った塵埃を廃棄する際に、蓋組立を構成するフイルタに付着した塵埃を確実に落下させて詰まりをなくすことができるので、ホースアッセンブリによって吸引された塵埃を効率的に捕集することができ、掃除機本体の吸込み風量の低下を防止することができる。また、フイルタを取外すことなく塵捨て操作中に塵埃の詰まり状態を視認することができるので、手を汚すこともなく、使い勝手のよい電気掃除機を得ることができる。
【発明を実施するための最良の形態】
【０００９】
図１４は本発明に係る電気掃除機の全体構成を示す斜視図である。
後述の集塵ケースが収容された掃除機本体１の前面側（図の左側）に設けた吸込口６には、ホースアッセンブリ８０のホース８１の一端に設けたホース接続継手８２が着脱自在に連結されており、ホース８１の他端には手元ハンドル８３が設けられている。そして、一端が手元ハンドル８３に着脱自在に接続された延長管８４の他端には、吸込具８５が着脱自在に接続されている。なお、２０は掃除機本体１の底部前面側に設けたキャスタ（前輪）、２１は後面側の両側面に設けた一対の後輪、２２は掃除機本体１に内蔵された巻取りリール（図示せず）に巻かれた電源コードである。
【００１０】
［実施の形態１］
図１は本発明の実施の形態１に係る電気掃除機の掃除機本体の縦断面図、図２は図１の掃除機本体に設けた集塵ケースのロック部及び集塵ケースの要部の斜視図、図３は図１の集塵ケースの側面図である。
【００１１】
掃除機本体１の前面側（以下の説明では、図の左側を前面側又は上流側といい、右側を後面側又は下流側という）には、後述の集塵ケース３０が収容される集塵ケース収容部２が設けられており、その底板３から立上った前壁４には、ホース８１のホース接続継手８２が着脱自在に連結される吸込口６と連通する通気穴５が設けられており、通気穴５の内周面にはシールパッキン７が装着されている。
【００１２】
８は集塵ケース収容部２の後壁（隔壁）で、格子状の通気口９が設けられており、その前面側にはフイルタ１０が着脱自在に装着されている。また、隔壁８の前面側の両側には、下部になるにしたがって前面側に傾斜するシール面１１が設けられている。
【００１３】
１２は隔壁８の後面側に設けられた電動機室で、吸引風を発生する電動送風機１３が収容されており、その空気吸入部１４は隔壁８の通気口９と連通している。１５は電動機室１２の上部に設けられた制御部、１６は掃除機本体１の後壁上部に設けられた排気口、１７は制御部１５と排気口１６との間に着脱自在に介装されたフイルタである。１８は掃除機本体１の上部に回動可能に軸支され、集塵ケース収納部２の上部開口部を開閉する開閉蓋、１９はハンドルである。
【００１４】
２５は吸込口６の天壁の上面に設けた集塵ケース３０のロック部である。ロック部２５において、２６はその底面に設けた突部２７が天壁に設けたガイド溝６ａに前後に摺動可能に装着されたロックレバーで、下部両側には後面側に突出する一対の係止爪２８ａ，２８ｂが設けられており、集塵ケース収容部２の前壁４に設けたガイド穴４ａ，４ｂ（４ｂは図示せず）に挿入されている。
【００１５】
そして、ロックレバー２６はばね（図示せず）により常時前壁４側に付勢されており、これにより、係止爪２８ａ，２８ｂは集塵ケース収容部２内に突出している。なお、係止爪２８ａ，２８ｂの上面は先端部に向って下降する傾斜面に形成されており、下面はほぼ水平に形成されている。
【００１６】
集塵ケース３０は、図３〜図７に示すように、前面側に通気穴５を介して吸込口６と連通する吸込穴３２を有し、後面側が開口されて（以下、開口部３３という）、天板が前面側に傾斜したほぼ箱状に形成されて天板上に提げ手３４が設けられた本体部３１と、本体部３１の開口部３３を開閉する蓋組立体５０とからなっている。そして、本体部３１の前面側には、図２（ｂ）に示すように、掃除機本体１のロック部２５の係止爪２８ａ，２８ｂに対応して係止突部３５ａ，３５ｂが設けられている。
【００１７】
また開口部３３の上部には、後述の開口部３３を開閉するフイルタアッセンブリからなる蓋組立体５０のロック部３６が設けられている。このロック部３６は、図４に示すように、開口部３３の上部の後面側に庇状に張出して設けられた支持部３７に回動可能に支持された回転軸４０と、この回転軸４０の上部中央部に設けられ、支持部３７の中央部に設けた凹部３８内に位置する押しボタン４１と、押しボタン４１の両側において回転軸４０に設けられ、後面側に突出して支持部３７の窓穴３９ａ，３９ｂから後面側に突出する一対の係止爪４２ａ，４２ｂと、支持部３７の底部と押しボタン４１の前面側下面との間に介装されたばね４３（図６）とからなっている。そして、押しボタン４１はばね４３により常時付勢されており、これにより、係止爪４２ａ，４２ｂはほぼ水平に保持されている。
また、底壁の下面の開口部３３側には、ヒンジ部４４を構成する一対のヒンジ受け４５ａ，４５ｂが設けられている。４６はヒンジ穴である。
【００１８】
集塵ケース３０の本体部３１の開口部３３を開閉する蓋組立体５０は、図５に示すように、複数のフイルタ（図には３個の場合が示してある）５１，５２，５３からなっている。前面側（上流側）に位置する第１のフイルタ５１は上部が幅広で下部が幅狭の周壁を有し、前面側外周にシールパッキン５６が介装されて本体部３１の開口部３３の外周に当接する枠体５５と、枠体５５に装着された板状のフイルタ部材５７とからなり、下部両側に設けたヒンジ腕５８ａ，５８ｂのヒンジ軸５９が本体部３１のヒンジ受け４５ａ，４５ｂのヒンジ穴４６に内側から回動自在に嵌合する。
【００１９】
第２のフイルタ５２は、後面側外周に第１のフイルタ５１の枠体５４に当接する鍔部６１と、第１のフイルタ５１の枠体５４内に挿入される枠部６２とを有し、枠部６２の上面に櫛状部６３が形成された枠体６０を備え、枠部６２にはプリーツ状のフイルタ６４が装着され、その上面が櫛状部６３と一体に接合されている。なお、第２のフイルタ５２に設けるフイルタ部材はプリーツ状のフイルタ６４に限定するものではなく、平板状のフイルタ部材を用いてもよい。
【００２０】
また、鍔部６１の上部には、本体部３０ａのロック部３６の係止爪４２ａ，４２ｂが係止する係止部６５ａ，６５ｂが設けられており、鍔部６１の下部にはヒンジ腕６６ａ，６６ｂが設けられて、そのヒンジ軸６８が本体部３１の下部に設けたヒンジ受け４５ａ，４５ｂのヒンジ穴４６に、外側から回動自在に嵌合する。なお、鍔部６１の両面にはパッキン６７が装着されている。このように、第１、第２のフイルタ５１，５２をヒンジ受け４５ａ，４５ｂに取付けることにより、両者はヒンジ４４を介して一体的に連結される。
【００２１】
第３のフイルタ５３は、第２のフイルタ５２の枠部６２に対応する大きさの枠体６９に板状のフイルタ部材６９ａを装着したもので、その下端部が第２のフイルタ５２の枠部６２に回動自在に軸止されている（図９参照）。
上記のように構成した蓋組立体５０は、第２のフイルタ５２をヒンジ部４４を軸に回動させることにより第１〜第３のフイルタ５１，５２，５３が一体化され、ロック部３６の係止爪４２ａ，４２ｂを第２のフイルタ５２の係止部６５ａ，６５ｂに係止させることにより、本体部３１の開口部３３を閉塞する。このときの状態を図３に示す。
【００２２】
また、図７に示すように、ロック部３６の押しボタン４１を矢印方向に押圧すると、これと一体に形成された回転軸４０が矢印方向に回動して係止爪４２ａ，４２ｂを回動させ、第２のフイルタ５２に設けた係止部６５ａ，６５ｂから離脱してロックを解除する。これにより、蓋組立体５０は図８に示すように、ヒンジ部４４を軸に自重により矢印方向に回転し、ほぼ垂直状態となって本体部３１の開口部３３を開放する。
【００２３】
次に、上記のように構成した本実施の形態の作用について説明する。
先ず、図１に示すように、掃除機本体１の集塵ケース収容部２に上方から集塵ケース３０を挿入し、圧下する。これにより、ロック部２５の係止爪２８ａ，２８ｂが集塵ケース３０の係止突部３５ａ，３５ｂに押されて後退（前面側に移動）し、係止突部３５ａ，３５ｂが係止爪２８ａ，２８ｂを乗り越えると係止爪２８ａ，２８ｂが再び前進し、その下面が係止突部３５ａ，３５ｂの上面に当接してロックされ、集塵ケース３０は集塵ケース収容部２内の所定の位置に保持される。
【００２４】
このとき、集塵ケース３０の前面側に設けた吸込穴３２はシールパッキン７に圧接されて吸気口６と連通し、後面側の蓋組立体５０の第２のフイルタ５２は、隔壁８に設けた通気穴９のフイルタ１０と対向する。また、第２のフイルタ５２の後面側の両側が、隔壁８の前面側の両側に設けたシール面１１に圧接してシールされ、気密に保持される。
ついで、開閉蓋１８を閉じると、その係止部１８ａが前壁４に設けた係止部２３に係止されて保持される。
【００２５】
次に、掃除機本体１の吸気口６にホース８１のホース接続継手８２を接続し、電源コード２２を電源コンセントに接続する。ついで、手元ハンドル８３の電源スイッチをＯＮし、電動送風機１３を駆動する。
そして、手元ハンドル８３を持って吸込具８５を床等の上を移動させれば、床等の上の塵埃等が空気と共に吸引され、ホースアッセンブリ８０を経て吸込口６から集塵ケース３０内に吸込まれる。
【００２６】
集塵ケース３０内に吸込まれた塵埃は集塵ケース３０内に捕集されて集積され、粉塵を含んだ空気は、蓋組立体５０を構成する第１、第３、第２のフイルタ５１，５３，５２及び隔壁８のフイルタ１０により清浄化され、電動機室１２に吸込まれて電動送風機１３を冷却し、ついで制御部１５を冷却したのちフイルタ１７でさらに清浄化され、排気口１６から排気される。
【００２７】
集塵ケース３０内に溜った塵埃を捨てるときは、先ず、ロック部２５のロックレバー２６を指先で矢印方向（前面側）に摺動させる。これにより、開閉蓋１８が開放される。また、ロックレバー２６の摺動により係止爪２８ａ，２８ｂが後退して係止突部３５ａ，３５ｂとの係合が外れてロックが解除されるので、図１に示すように、ハンドル３４を持って集塵ケース３０を集塵ケース収容部２から引出す。
【００２８】
そして、集塵ケース３０をごみ箱等の上に位置させ、図７に示すように、ロック部３６の押しボタン４１を矢印方向に押してロックを解除すれば、蓋組立体５０は、ヒンジ部４４を軸にして自重により回転し、図８に示すように垂下する。このとき、蓋組立体５０が開放されると同時に、最も上流側に位置する第１のフイルタ５１に付着した綿塵などの比較的大きな塵埃が、蓋組立体５０の開放時の加速度と塵埃の自重により落下し、また、集塵ケース３０内に溜った塵埃もごみ箱等に排出される。
【００２９】
この場合、蓋組立体５０を構成する第１〜３のフイルタ５１〜５３を、吸気上流側から吸気下流側にかけて順次フイルタの圧損（捕集率、捕集性能）を高めるようにしてもよい。これにより、掃除機本体１によって吸引された塵埃を効率的に捕集することができ、排気をさらに清浄化すると共に吸込み風量の低下を防止することができる。
【００３０】
塵埃の排出が終ったときは、蓋組立体５０を回動して集塵ケース３０の開口部３３を閉塞し、ロックする。そして、掃除機本体１の集塵ケース収容部２内に挿入してロックし、開閉蓋１８を閉じればよい。
【００３１】
本実施の形態によれば、集塵ケース３０内に溜った塵埃を廃棄する際に、蓋組立体５０の開放動作による加速度と塵埃の自重により、蓋組立体５０を構成するフイルタに付着した塵埃を確実に落下させて詰まりをなくすことができ、これにより、ホースアッセンブリ８０によって吸引された塵埃を効率的に捕集することができるので、掃除機本体１の吸込み風量の低下を防止することができる。
また、蓋組立体５０を構成するフイルタ５１〜５３を取外すことなく、通常の塵捨て操作中に容易に塵埃の詰まり状態を視認することができ、手を汚すこともなく、使い勝手のよい電気掃除機を得ることができる。
【００３２】
［実施の形態２］
図９は本発明の実施の形態２に係る電気掃除機の集塵ケースの蓋組立体を開放した状態を示す側面図、図１０は図９の斜視図である。なお、実施の形態１と同じ部分にはこれと同じ符号を付し、説明を省略する。
本実施の形態は、集塵ケース３０の本体部３１の底面に設けたヒンジ受け４５ａ，４５ｂの後部（前面側）にそれぞれストッパ部材４７ａ，４７ｂ（以下、単に４７と記す）を設けたものである。
【００３３】
このストッパ部材４７は、正面ほぼ台形状に形成され、内側には蓋組立体５０を開放したときに、第１のフイルタ５１のヒンジ腕５８ａ，５８ｂがそれぞれ当接する第１の当接部４８ａを設け、外側には第１の当接部４８ａより高い位置に、第２のフイルタ５２のヒンジ腕６６ａ，６６ｂがそれぞれ当接する第２の当接部４８ｂを設けたものである。
【００３４】
このように構成したことにより、ロックを解除すると蓋組立体５０はヒンジ部４４を軸に回動するが、図９に示すように、先ず、第１のフイルタ５１のヒンジ腕５８ａ，５８ｂがストッパ部材４７の第１の当接部４８ａに当って停止し、第２のフイルタ５２はさらに回動してそのヒンジ腕６６ａ，６６ｂが第２の当接部４８ｂに当って停止する。
【００３５】
すなわち、第１のフイルタ５１は角度θ1回動（回動範囲）して停止し、第２のフイルタ５２はθ1より大きい角度θ2回動（回動範囲）して停止する。このように、ストッパ部材４７により第１のフイルタ５１の回転角度θ1と第２のフイルタ５２の回転角度θ2をθ1＜θ2に設定したものである。
本実施の形態によれば、第１、第２のフイルタ５１，５２の回転範囲を規制することにより、両者の先端部は間隔を広げて展開することができ、かつ、第２のフイルタ５２のプリーツ状フイルタ６４が第１のフイルタ５１の枠体５５から離脱し、また、第３のフイルタ５３は自重により垂下するので、これらの先端部にはすき間ｇ1，ｇ2が形成される。
【００３６】
本実施の形態は上記のように構成したので、集塵ケース３０内に溜った塵埃を捨てるために、ロック部３６の押しボタン４１を押して蓋組立体５０を回転させて開口部３３を開放すると、集塵ケース３０内の塵埃を廃棄できるばかりでなく、蓋組立体５０を構成する第１、第２、第３のフイルタ５１，５２，５３はそれぞれすき間ｇ1，ｇ2を隔てて展開してオープン状態になるので、開放時の加速度と塵埃の自重により、フイルタ部材５７,６９ａに付着した塵埃は勿論、プリーツ状のフイルタ６４の溝に溜った塵埃も、開放された櫛状の開口部６３から自動的に落下させることができる。
【００３７】
本実施の形態によれば、各フイルタ５１，５２，５３に付着した塵埃を、塵捨て動作と同時に落下させることができるので、各フイルタ５１，５２，５３のメンテナンス頻度を大幅に低減することができる。
また、各フイルタ５１，５２，５３はそれぞれ回転範囲を異にすることにより、オープンにしてそれぞれの先端部の間にすき間ｇ1，ｇ2を形成するようにしたため、塵捨時に各フイルタ５１，５２，５３への塵埃の付着状態を容易に視認することができ、若し、塵埃が残っている場合は、フイルタ部材５７，６９ａやプリーツ状のフイルタ６４を取外すことなく、すき間ｇ1，ｇ2から刷毛等により除去することもできるので目詰まり状態を起こすことがなく、掃除機本体１の吸込風量を維持することができる。
【００３８】
上記の説明では、第１のフイルタ５１と第２のフイルタ５２の回転範囲を変えるために、図示のストッパ部材４７を設けた場合を示したが、これに限定するものではなく、例えば本体部３１の下面に設けたヒンジ受け４５ａ，４５ｂの両面の高さが異なる位置にそれぞれ突部を設けてストッパとするなど、他の構造としてもよい。
【００３９】
［実施の形態３］
実施の形態１、２の集塵ケース３０において、蓋組立体５０の最上流側の第１のフイルタ５１は、掃除機本体１の強い吸引力によって塵埃が付着し易く、このため、塵捨時の蓋組立体５０の開放による加速度及び塵埃の自重だけではすべての塵埃がフイルタ部材５７から離れないことが考えられる。特に、湿度の高いときにその傾向が生じ易い。
【００４０】
本実施の形態においては、このような問題に対処するために、第１のフイルタ５１に、例えばＳＵＳ材にエッチング加工により多数の細孔を設けたフイルタ部材を採用することにより、フイルタ部材の表面の摩擦係数を低くして塵埃の付着を抑え、塵捨時に塵埃がフイルタ部材から容易に離脱するようにしたものである。この場合、フイルタ部材に抗菌加工を施せば、塵埃中の菌の繁殖を抑制することができるので、衛生的である。
【００４１】
また、上記のように構成した第１のフイルタ５１に、図１１に示すように、通常のフイルタより格段に密度の高い格子状又は網状のフイルタ５４（以下、ネット状フイルタという）を配設し、その一端を第１のフイルタ５１の上流側の上部（図では下部となる）に、蓋組立体５０を開放したときに、角度θ3の範囲で回動しうるように軸止してもよい。
【００４２】
このように構成したことにより、蓋組立体５０を開放したときに、その加速度によりネットフイルタ５４が回転してその自由端が第１のフイルタ５１から離れるので、これにより第１のフイルタ５１の表面に付着した塵埃を一緒に剥すことができるため、第１フイルタ５１が目詰まりを起こすことがなく、メンテナンスも必要がないので、常に清潔に保つことができる。
【００４３】
また、第２のフイルタ５２に設けたプリーツ状フイルタ６４の表面に、例えばフッ素などで代表される塵離れ性能の高い素材を塗布等により施した。これにより、プリーツ状フイルタ６４の表面の除塵効果を高めることができ、通常の塵捨動作と同時にプリーツ状フイルタ６４の除塵を行うことができるため、メンテナンス頻度を大幅に減らすことができる。
【００４４】
［実施の形態４］
実施の形態１〜３の電気掃除機の集塵ケース３０において、塵捨ての際に蓋組立体５０が勢いよく開放されて蓋組立体５０のヒンジ腕５８ａ，５８ｂ、６６ａ，６６ｂが本体部３１やストッパ部材４７に衝突するため、本体部３１内や各フイルタ５１〜５３に付着した塵埃が舞上ってしまうおそれがある。特に、湿度の低い場合にその傾向が現われ易い。
【００４５】
そこで、本実施の形態においては、図１１に示すように、第２のフイルタ５２又は第１、第２のフイルタ５１，５２のヒンジ腕５８ａ，５８ｂ、６６ａ，６６ｂの下面（図では上面）に、例えばゴム、ばね等の緩衝材７５を設けたものである。
これにより、蓋組立体５０を開放したときに、そのヒンジ腕６６ａ，６６ｂ（又は５８ａ，５８ｂと６６ａ，６６ｂ）は緩衝材７５を介して本体部３１等に当接するので、荷重重力による衝撃を緩和することができ、塵埃が舞い上ったり蓋組立体５０が破損したりするおそれがなく、信頼性が高く使い勝手のよい塵埃ケース３０を得ることができる。
【００４６】
［実施の形態５］
図１２は本発明の実施の形態５に係る電気掃除機の集塵ケースの蓋組立体を開放した状態を示す側面図である。なお、実施の形態１、２と同じ部分にはこれと同じ符号を付し、説明を省略する。
【００４７】
実施の形態１〜４では、集塵ケース３０の本体部３１の下面にヒンジ部４４を設け、蓋組立体５０を本体部３１の下方に向って回動させる場合を示したが、本実施の形態は、本体部３１の開口部３３の上部にヒンジ部７０を設け、複数のフイルタ５１〜５３（又は５１〜５４）からなる蓋組立体５０の上端部を回動可能に装着したものである。
そして、集塵ケース３０をほぼ垂直に保持したときは、蓋組立体５０自重によりほぼ垂直に保持されて開口部３３を閉塞し、図のように、集塵ケース３０を傾けると、蓋組立体５０は矢印方向に自動的に回動して開口部３３を開放する。
【００４８】
図１３は本実施の形態の他の例の要部を示す説明図である。本例においては、集塵ケース３０の本体部３１の張出し部３７にこれを横切る固定軸７２を設け、この固定軸７２に蓋組立体５０の上端部に設けたアーム７１を回動自在に装着し、固定軸７２に介装されて一端が張出し部３７に固定されたばね７３の他端をアーム７１に連結し、蓋組立体５０に常時矢印方向（開口部３３を閉じる方向）の付勢力を付与したものである。
【００４９】
そして、張出し部３７に設けた押しボタン７４を圧下してアーム７１の先端部を圧下することにより、アーム７１及びこれと一体化された蓋組立体５０をばね７３に抗して反矢印方向（図示の状態）に回動させ、開口部３２を開放する。押しボタン７４を離せば蓋組立体５０はばね７３に付勢されて矢印方向に回動し、開口部３３を閉塞する。
【００５０】
図１３は蓋組立体５０の開閉機構の一例を示すものでこれに限定するものではなく、適宜の機構を用いることができる。なお、本実施の形態においても、実施の形態１〜３の発明を適宜採用することができる。
本実施の形態においても、実施の形態１〜３の場合とほぼ同様の効果を得ることができるが、さらに、蓋組立体５０は上方に回動するので、塵捨ての際に本体部３１内の塵埃が蓋組立体５０のフイルタに付着しにくく、また、ごみ箱等の上が狭い場合でも本体部３１内の塵埃やフイルタに付着した塵埃を容易に廃棄することができる。
【図面の簡単な説明】
【００５１】
【図１】本発明の実施の形態１に係る電気掃除機の掃除機本体の縦断面図である。
【図２】図１の集塵ケースのロック部の斜視図及び集塵ケースの要部の斜視図である。
【図３】図１の集塵ケースの側面図である。
【図４】図３の集塵ケースの本体部の斜視図である。
【図５】図３の集塵ケースの蓋組立体の斜視説明図である。
【図６】図３の集塵ケースの縦断面図である。
【図７】集塵ケースの作用説明図である。
【図８】集塵ケースの作用説明図である。
【図９】本発明の実施の形態２に係る電気掃除機の集塵ケースの説明図である。
【図１０】図９の集塵ケースの斜視図である。
【図１１】本発明の実施の形態３及び４に係る電気掃除機の集塵ケースの説明図である。
【図１２】本発明の実施の形態５に係る電気掃除機の集塵ケースの説明図である。
【図１３】図１２の他の例の要部の説明図である。
【図１４】本発明に係る電気掃除機の一例の全体構成を示す説明図である。
【符号の説明】
【００５２】
１  掃除機本体、２  集塵ケース収容部、８  隔壁、１３  電動送風機、１８  開閉蓋、２５  集塵ケースのロック部、２８ａ，２８ｂ  係止爪、３０  集塵ケース、３１  本体部、３３  開口部、３６  蓋組立体のロック部、４２ａ，４２ｂ  係止爪、４４，７０  ヒンジ部、５０  蓋組立体、５１  第１のフイルタ、５２  第２のフイルタ、５３  第３のフイルタ、５４  第４のフイルタ（ネット状フイルタ）、６４  プリーツ状フイルタ、８０  ホースアッセンブリ、８１  ホース、８５  吸込具。
【図１】
2007029217.tif 000003
【図２】
2007029217.tif 000004
【図３】
2007029217.tif 000005
【図４】
2007029217.tif 000006
【図５】
2007029217.tif 000007
【図６】
2007029217.tif 000008
【図７】
2007029217.tif 000009
【図８】
2007029217.tif 000010
【図９】
2007029217.tif 000011
【図１０】
2007029217.tif 000012
【図１１】
2007029217.tif 000013
【図１２】
2007029217.tif 000014
【図１３】
2007029217.tif 000015
【図１４】
2007029217.tif 000016